(57)【特許請求の範囲】
【請求項１】
スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと、前記固定接点間に発光素子を配設しない非照光式スイッチとを選択的に構成可能としたことを特徴とするスイッチ。
【請求項２】
少なくとも１極がクリップ状の前記可動接点と前記スイッチ本体内部に立設した柱状固定接点からなり、他極の固定接点間にＬＥＤを接続したことを特徴とする請求項１記載のスイッチ。
【請求項３】
中央に配置した前記固定接点と該固定接点の左右に対向配設した前記固定接点間の何れか一方に発光素子を、他方に電流制限用素子を接続した請求項１及び請求項２記載のスイッチ。
【請求項４】
スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ本体の一部を透光性部材にて形成するとともに前記固定接点の少なくとも１極の固定接点間に発光素子を接続して前記透光性部材にて形成された透光性部分が照光することを特徴とするスイッチ。
【発明の詳細な説明】
【０００１】
【発明の属する技術分野】
本発明は、非照光型スイッチの既存設備等をそのまま利用して照光式スイッチを構成することを可能とした発明であり、従来にない極超小型照光式スイッチに関する。
【０００２】
【従来の技術】
図５は従来のプリント基板用トグルスイッチの側面断面図である。
左右にクリップ式開閉接触機構を配置し、中央のレバー２に収納したコイルバネ５により押下力を付勢した滑動棒６が切換感を出すとともにレバー２の開閉インデックスの役割を果たしている。
上記スイッチの大きさは端子ピッチ２．５４ｍｍ、スイッチ本体が７×４．５ｍｍと小さく、従来の技術ではこの大きさのまま照光式スイッチを構成することができなかった。
【０００３】
【発明が解決しようとする課題】
従来の照光スイッチ（図示せず）においては、発光素子を配置するスペースと発光素子までの配線を確保するため、前述の大きさのスイッチでは照光式スイッチを構成することが困難であり、各構成部品を新規に開発するための多額な設備投資が必要となっていた。
本発明はかかる課題に鑑みてなされたものであり、上記課題を解決して、従来の非照光型スイッチの既存設備をそのまま利用して照光式スイッチを構成することを可能としたものであり、従来にない極超小型照光式スイッチを提供することが可能となった。
【０００４】
【課題を解決するための手段】
本発明は、上記目的を達成するために、スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと、前記固定接点間に発光素子を配設しない非照光式スイッチとを選択的に構成可能としたものである。
また、少なくとも１極がクリップ状の前記可動接点と前記スイッチ本体内部に立設した柱状固定接点からなり、他極の固定接点間にＬＥＤを接続する。
さらに、中央に配置した前記固定接点と該固定接点の左右に対向配設した前記固定接点間の何れか一方に発光素子を、他方に電流制限用素子を接続する。
加えて、スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ本体の一部を透光性部材にて形成するとともに前記固定接点の少なくとも１極の固定接点間に発光素子を接続して前記透光性部材にて形成された透光性部分が照光するよう構成したものである。
【０００５】
【発明の実施の形態】
本発明によれば、スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと、前記固定接点間に発光素子を配設しない非照光式スイッチとを選択的に構成可能としたので、既存の多機種、多形態のスイッチの照光化が可能となり、開発投資も殆ど必要ないという優れた特徴を持つ。
【０００６】
【実施例】
以下、本発明の実施例について、図面を参照しながら詳細に説明する。
図１は本発明のスイッチの第１実施例を表す分解斜視図であり、図２はその発光素子側の正面断面図、さらに図３はその側面断面図であり、図４はその中心断面図である。
【０００７】
これらの図において、スイッチ本体部分を構成するとともに上面に貫通孔１ａを形成した箱型のハウジング１には、内側から透光性部材にて形成したレバー２の操作部２ａが前記貫通孔１ａから組入れられてトグルスイッチを構成している。スイッチ駆動部である該レバー２にはクリップ状の可動接片３が可動接片３の上部に設けた孔３ａを通してレバー２の突起２ｂを加締めて固定してあり、さらにコイルバネ５と滑動棒６がレバー２の中央部に収納されている。この状態でハウジング１の下方からベース９をハウジング１の角窓部１ｂとベース９の係合突起部９ａに凹凸嵌合して組立てられる。
【０００８】
この際、ベース９には可動接片３に挟持される固定接点１１が３本２列に立設した２極双投形の固定接点形態を構成しているが、可動接片３は片側極にのみ配設し、他方の極側には発光素子としてＬＥＤ８が発光部８ｂをレバー２側に向けた状態で縦に配設されている。
【０００９】
なお、４のＯリングはハウジング１・レバー２間の傾動部をシーリングし、また７のＯリングはベース９の溝９ｂに装着してフラックス等の浸入を防止するためのものである。
【００１０】
図５は前述した通り、従来のプリント基板用トグルスイッチの側面断面図である。本発明のスイッチはこの従来のプリント基板用トグルスイッチと比べ、片側に内蔵した発光素子以外は殆ど同一構成となっているため、発光素子の有無によって照光式と非照光式スイッチとを選択的に構成することができ、様々な形態のスイッチに応用展開することが可能である。
【００１１】
図８は本発明のスイッチの第２実施例を表す分解斜視図であり、照光式ロッカスイッチの構成事例である。本実施例においては転換子２４とボタン２２が透光性部材により形成されている。
【００１２】
さらに、図９は本発明のスイッチの第３実施例を表す分解斜視図であり、照光式押しボタンスイッチの構成事例である。本実施例においては転換子４４とプランジャ４２が透光性部材により形成されている。また、発光素子は固定接点５１間に上向きに配置（図６も同様）しているが、発光素子の配置方法については固定接点５１へのはんだ付けや耐熱性の導電接着剤による固定や、さらにスポット溶接や機械的接合など様々な方法がある。
【００１３】
図７は色別に２個の発光素子を配設した事例である。このように極めて容易に３端子型の２色照光式スイッチを構成することができる。
【００１４】
また、一方の発光素子をチップ抵抗にすることにより、電流制限用抵抗内蔵型照光式スイッチやさらに、スライドスイッチやロータリスイッチ等にも応用展開が可能であるが、本発明はこのような応用事例を排除するものではない。
【００１５】
また、本実施例においては操作部を主に照光する事例を記述したが、スイッチ本体を構成するハウジングやベースの一部を透光性部材にて形成することにより、従来にない照光形態を有する照光式スイッチを提供することができる。（図示せず）
【００１６】
【発明の効果】
以上、詳細に説明したように、本発明によれば次のような効果を奏することができる。
（１）スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部により切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと前記固定接点間に発光素子を配設しない非照光式スイッチとを選択的に構成可能としたので、様々な種類の照光形スイッチを極めて容易に構成することができる。
（２）スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部により切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと前記固定接点間に発光素子を配設しない非照光式スイッチとを選択的に構成可能としたので、従来の非照光式スイッチの既存部品をそのまま照光式スイッチに利用できるため、開発設備等を著しく抑制することができる。
（３）スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部により切換わる可動接点を配設したスイッチにおいて、前記スイッチ操作部と前記スイッチ駆動部の少なくとも何れか一方を透光性部材にて形成するとともに前記固定接点の少なくとも１極の固定接点間に発光素子を接続して前記スイッチ操作部と前記スイッチ駆動部の少なくとも何れか一方の透光性部材が導光して前記操作部を照光する照光式スイッチと前記固定接点間に発光素子を配設しない非照光式スイッチとを選択的に構成可能としたので、照光式と非照光式スイッチの部品の共通化が可能となり、在庫管理が容易となる。
（４）少なくとも１極がクリップ状の前記可動接点と前記スイッチ本体内部に立設した柱状固定接点からなり、他極の固定接点間にＬＥＤを接続したので、極超小型の照光式スイッチを極めて容易に構成することができる。
（５）中央に配置した前記固定接点と該固定接点の左右に対向配設した前記固定接点間の何れか一方に発光素子を、他方に電流制限用素子を接続したので、１種類のスイッチで発光素子の制御方法を自由に選択することができる。
（６）スイッチ本体と、該スイッチ本体底面部に少なくとも２極の回路構成からなる複数の固定接点を対向配設するとともに前記スイッチ本体にスイッチ操作部と該スイッチ操作部に連結したスイッチ駆動部と該スイッチ駆動部に連動して切換わる可動接点を配設したスイッチにおいて、前記スイッチ本体の一部を透光性部材にて形成するとともに前記固定接点の少なくとも１極の固定接点間に発光素子を接続したので、従来にない照光形態を有する照光式スイッチを提供することができる。
【図面の簡単な説明】
【図１】  本発明のスイッチの第１実施例を表す分解斜視図である。
【図２】  本発明のスイッチの第１実施例を表す発光素子側の正面断面図である。
【図３】  本発明のスイッチの第１実施例を表す側面断面図である。
【図４】  本発明のスイッチの第１実施例を表す発光素子側の中心断面図である。
【図５】  従来のプリント基板用トグルスイッチの側面断面図である。
【図６】  本発明のスイッチの発光素子の配置方法を表す応用事例である。
【図７】  本発明のスイッチの発光素子の配置方法を表す応用事例である。
【図８】  本発明のスイッチの第２実施例を表す分解斜視図である。
【図９】  本発明のスイッチの第３実施例を表す分解斜視図である。
【符号の説明】
１、２１、４１  ハウジング
１ａ、４１ａ  貫通孔
１ｂ、２１ｂ、４１ｂ  角窓部
２  レバー
２ａ、４２ａ  操作部
２ｂ  突起
３、２３、４３  可動接片
３ａ  孔
４、７  Ｏリング
５、２５、４５  コイルバネ
６、２６  滑動棒
８、１８、２８、４８  ＬＥＤ
８ａ、１８ａ、２８ａ、４８ａ  電極部
８ｂ、１８ｂ、２８ｂ、４８ｂ  発光部
９、２９、４９  ベース
９ａ、２９ａ、４９ａ  係合突起部
９ｂ  溝
９ｃ、２９ｃ  傾斜面
１０、３０、５０  端子
１１、３１、５１  固定接点
２２  ボタン
２４、４４  転換子
４２  プランジャ
【図１】
0004132872.tif 000002
【図２】
0004132872.tif 000003
【図３】
0004132872.tif 000004
【図４】
0004132872.tif 000005
【図５】
0004132872.tif 000006
【図６】
0004132872.tif 000007
【図７】
0004132872.tif 000008
【図８】
0004132872.tif 000009
【図９】
0004132872.tif 000010